(57)【特許請求の範囲】
【請求項１】
支持具付嗜好性飲料バッグ１は濾過性を有するシートからなる嗜好性飲料抽出用バッグ２及び、抽出用バッグをカップ上に保持するための紙製支持具３からなり、抽出用バッグ２は紙製支持具３に取り付けられている支持具付バッグにおいて、
紙製支持具は環状のシートが左右の折目５、５′で折り畳まれて２枚の長方形シート４、４が重ね合わされた形状となり、更に長方形のシートの上端左右の部分は要すれば上方へ長方形に張出しその上部７、９で表裏のシートが接続されて偏平となっているが、使用時上端９を内部へ押し込むと上端９、折目８、８、切り込み１０、１０及び切り込みまたは縁１１、１１からなる、表裏のシートと連続している２つの四辺形の部分が、上端９を軸として蝶番状に折り返されこれに伴って、上端７、シートの折目６、６、８、８からなる２つの三角形の部分も上端７を軸として蝶番が少し開いた形状となることにより、左側にも対称に設けられている同様な構造と相まって、表裏のシート４、４の間隔が押し開けられ紙製支持具の１６、１６の部分に取り付けられている抽出用バッグが開口された状態となる支持具付嗜好性飲料バッグ。
【請求項２】
支持具付嗜好性飲料バッグ１は濾過性を有するシートからなる嗜好性飲料抽出用バッグ２及び抽出用バッグをカップ上に保持するための紙製支持具３からなり、抽出用バッグ２は紙製支持具３に取り付けられている支持具付バッグにおいて、
紙製支持具は環状のシートが左右の折目５、５′で折り畳まれて２枚の長方形シート４、４が重ね合わされた形状となり、更に長方形のシートの上端左右の部分は上方へ長方形に張出しその上端７、９、１２で表裏のシートが接続されて偏平となっているが、使用時上端９を下方へ押し込むと上端１２の部分はそのまま保持され、上端９、折目８、８、切り込み１０、１０及び縁１１、１１からなる、表裏のシートと連続している２つの四辺形の部分が、上端９を軸として蝶番状に折り返されこれに伴って、上端７、シートの折目６、６、８、８からなる２つの三角形の部分も上端７を軸として蝶番が少し開いた形状となることにより、左側にも対称に設けられている同様な構造と相まって、表裏のシート４、４の間隔が押し開けられ紙製支持具の１６、１６の部分に取り付けられている抽出用バッグが開口された状態となる支持具付嗜好性飲料バッグ。
【請求項３】
紙製支持具４、４の下端１３、１３の左右対称の位置に抉り１４、１４、１４′、１４′及び／または、支持具に把手用切り込み１７、１７、１７′、１７′を設けた請求項１及び２記載の支持具付嗜好性飲料バッグ。
【請求項４】
嗜好性飲料抽出用バッグが繊度  ０．２デニール以下の超極細繊維を含む不織布からなる請求項１、２及び３記載の支持具付嗜好性飲料バッグ。
【請求項５】
嗜好性飲料抽出用バッグの左右の側面にギャザー１８、１８′を設けた請求項１、２、３及び４記載の支持具付嗜好性飲料バッグ。
【請求項６】
嗜好性飲料抽出用バッグ２に抽出原料が封入され、開口用ミシン目１９、１９が設けられている請求項１、２、３、４及び５記載の支持具付嗜好性飲料バッグ。
【発明の詳細な説明】
【０００１】
【発明の属する技術分野】
本発明は支持具付嗜好性飲料バッグに関するもので更に詳しく述べると、コーヒーまたは紅茶等の嗜好性飲料をドリップ方式で抽出する場合、バッグの開口度を大きく且つ安定した状態に保持できるため、抽出効果を高め得る支持具を有するディスポーザブル抽出用バッグである。
【０００２】
【従来の技術】
最近コーヒーをペーパーフィルターによるドリップ方式でいれて飲む習慣の普及につれて、抽出時フィルターをカップ上で安定に保持するための支持具も使用される様になった。この目的で開発された支持具も既に幾つか開示されている。
【０００３】
例えば、実公平  ５−１３３２４号公報には短冊状の厚紙を環状に接着し、重なり合う様に折り畳み、その中側に抽出用バッグを取り付け、その両側の縁の中程に切り込みを設けそれを内部に押し込んで、表裏の厚紙を押し開きバッグの口を開く方法が開示されている。
【０００４】
また、実公昭  ６０−７６２２号公報には、矩形の厚紙の中央に穴を開けて抽出用バッグを取り付け、カップの上で矩形の厚紙を半円状に曲げて両側の縁をカップに引っ掛けて使用するものである。
【０００５】
更に、実公昭  ５７−１０２７０  号公報に同一の大きさの矩形状の厚紙を２重に重ね、両側の縁を折り曲げて断面が矩形の筒をつくり、その部分にバッグを取り付け、その折り曲げた部分に折り返し片を設けて抽出時バッグの開口状態を保持させるものである。
【０００６】
これらの方式には、いずれもバッグの開口される度合いにバラツキが出やすいことと共に、抽出している間開口状態が一定に保持されない問題点があった。
【０００７】
【発明が解決しようとする課題】
これらの問題点にかんがみ本発明はディスポーザブルタイプのコーヒー、紅茶等嗜好性飲料の抽出用バッグにおいて、嗜好性飲料をドリップ方式で抽出する場合バッグの口を確実に大きく開かせることができ、それによって抽出効果を高めると共に、カップ上に安定して保持できる支持具をバッグに取り付けたバッグを開発して提供しようとするものである。
【０００８】
【課題を解決するための手段】
本発明者等はコーヒー、紅茶等のディスポーザブルタイプの抽出用バッグをドリップ方式で使用する場合、バッグの口を確実に且つ充分に開かせることが可能な支持具の材質と構造について研究した。その結果やや厚めの細長い紙を環状に繋いで折り重ね長方形のシートが重ね合わさった形状として、支持具の内部に抽出用バッグを取り付け、支持具の上部に予め設けた折り目によってその部分を２段に内部に折り込む構造によって、厚紙の有する適度な可塑性及び弾性と相まって支持具に取り付けられているバッグの口を確実に且つ大きく開かせ、且つ開口状態を安定に保持できる構造を開発し、更に抽出効果を高めるためのバッグの材質・形状等についても検討した結果本発明に到達した。
【０００９】
すなわち、支持具付嗜好性飲料バッグ１は濾過性を有するシートからなる嗜好性飲料抽出用バッグ２及び、抽出用バッグをカップ上に保持するための紙製支持具３からなり、抽出用バッグ２は紙製支持具３に取り付けられている支持具付バッグにおいて、
【００１０】
紙製支持具は環状のシートが左右の折目５、５′で折り畳まれて２枚の長方形シート４、４が重ね合わされた形状となり、更に長方形のシートの上端左右の部分は要すれば上方へ長方形に張出しその上部７、９で表裏のシートが接続されて偏平となっているが、使用時上端９を内部へ押し込むと上端９、折目８、８、切り込み１０、１０及び切り込みまたは縁１１、１１からなる、表裏のシートと連続している２つの四辺形の部分が、上端９を軸として蝶番状に折り返されこれに伴って、上端７、シートの折目６、６、８、８からなる２つの三角形の部分も上端７を軸として蝶番が少し開いた形状となることにより、左側にも対称に設けられている同様な構造と相まって、表裏のシート４、４の間隔が押し開けられ紙製支持具の１６、１６の部分に取り付けられている抽出用バッグが開口された状態となる支持具付嗜好性飲料バッグである。
【００１１】
ここで、「左右の折目５、５′」の様に同じ番号に′を着けたものは、それぞれ右及び左の対称の位置にある同一の構造部分を示し、「長方形シート３、３」の様に２  つの部分を同一の番号で示したものは２枚重なっている表面と裏面シートの同一の構造を示す。また「シートが接続されている」とは、シートが連続している場合及び貼着されている場合の両者を含む意味である。また、折目と記載されている部分はミシン目または部分的に切断されていてもよい。機能は全く同一だからである。以下本発明について詳しく説明する。
【００１２】
前述において、長方形シート４、４の上端左右の部分が上方へ長方形に張出した場合は実施例１、図３に示す様に張出部分の上端７、９で表裏のシートが接続され、６、６及び８、８は折目、１０、１０は切り込み、１１、１１は切断された縁となり、９を下方へ押し込むと９及び７の部分が蝶番状に折れて２段の折り込みが形成される。またこの構造を左右の縁５、５′側に設けた態様も本発明に含まれている。
【００１３】
また、長方形シート４、４の上端左右の部分に上方へ長方形の張出しを設けず、本発明の２段折り込み構造を左右の縁５、５′側に設けた場合は実施例３、図７に示す様に、７、９は左右の縁５、５′に含まれている折目、６、６及び８、８は折目、１０、１０は切り込み、１１、１１は切断されている左右上端部となり、９を内側へ押し込むと９及び７の部分が蝶番状に折れて２段の折り込み構造が形成される。
【００１４】
またこの構造を上端左右の上側に設けた場合、すなわち、上端７、９ではシート４、４が接続され、６、６及び８、８は折目、１０、１０及び１１、１１はは切り込みとなり、９を下方へ押し込むと９及び７の部分が蝶番状に折れて２段の折り込みが構造が形成される。この態様もまた本発明に含まれている。
【００１５】
本発明には更に紙製支持具の長方形のシートの上端左右の部分は上方へ長方形に張出しその上端７、９、１２で表裏のシートが接続されている場合も含まれている。使用時上端９を下方へ押し込むと上端１２の部分はそのままの状態で保持されるが、上端９、折目８、８′、切り込み１０、１０′及び縁１１、１１′からなる表裏のシートに接続されている２つの四辺形の部分が、上端９を軸として蝶番状に折り返されこれに伴って、上端７、シートの折目６、６′、８、８′からなる２つの三角形の部分も上端７を軸として蝶番が少し開いた形状となって２段に折り込まれて表裏のシート４、４の間隔が押し開けられ、抽出用バッグも開口される嗜好性飲料バッグも含まれている。
【００１６】
こ態様は上端１２の部分がそのまま保持されるため支持具の構造性が高められ、例えば数人分のコーヒー等をドリップ方式でいれる時大きなバッグを使用する様な場合に適している。
【００１７】
また、嗜好性飲料バッグをカップの縁にのせた時支持具が移動したり、滑り落ちたりすることがない様に、紙製支持具４、４の下端１３、１３の左右対称の位置に抉り１４、１４、１４′、１４′を設けることができる。或いは飲料バッグの取扱を容易にするために、支持具に把手用切り込み１７、１７、１７′、１７′を設けることもできる。
【００１８】
本発明の抽出用バッグには濾過性を有する材質であれば広く使用できるが、繊度  ０．２デニール以下の超極細繊維を含む不織布は抽出性が優れているため好ましい。例えば、コーヒーの苦すぎる原因となり易い抽出残渣や油脂の除去性に優れている。
【００１９】
抽出用バッグの形状は特に限定しないが開口面積を大きくするためバッグの側面にギャザーを設けた形状が好ましく、更にバッグの下部の断面はＶ字形になっていると液切れが良好となるため好ましい。またはバッグの下端が逆円錐状となっていてもよい。バッグの上端はオープンで使用時適宜コーヒー粒子等抽出原料を入れてお湯を注入する方式でも使用できるが、予めコーヒー粒子等がバッグに封入されていて、使用時ミシン目を引き裂いてバッグの口を開けお湯を注入する態様も本発明に含まれている。
【００２０】
【発明の実施の形態】
本発明の支持具付嗜好性飲料バッグに適用できる嗜好性飲料は特に限定しないが、コーヒー、紅茶、ココア、ウーロン茶、緑茶、麦茶、昆布茶等広範囲な飲料が含まれている。これらの中、コーヒーは本発明のホルダー付抽出用バッグに最も適している。
【００２１】
本発明の支持具付嗜好性飲料バッグの支持具は、紙製の環状シートが左右の折目で折り曲げられて２枚の長方形シート４、４が重ね合わされた形状となっている。その上部左右両端に予め設けられた折目により、シートの一部を２枚のシートの間に２段に折り込むことによって、重ね合わされた２枚のシートの間隔を押し開かせる構造となっている。このため折り込まれ構造が安定であるためには、シートが適度な弾性と可塑性を有する必要がある。
【００２２】
本発明の支持具の材質は紙製である必要がある。前述の様な適度な弾性と可塑性を併せ有するシート状材質としては、紙が最も適しているあるからである。また、紙の種類については特に限定しないがやや厚めの紙が好ましく、ポリマー樹脂によりラミネートした板紙またはその他の防水処理をした厚紙がより好ましい。
【００２３】
本発明の支持具付バッグは使用前偏平に折り畳まれているが、支持具の左右両端の図１における９の部分を内部に押し込むと、９の部分と７の部分が２段に折り込まれる。この際折り込まれた１０、１０の部分は切り込まれているため図に示す様に、１０、１０の先端１５、１５がホルダーの内部に折り込まれシート４、４の間に挟まれて固定される構造になっている。７の部分の１段折り込みのみでは図より分かる様にシート４、４を開いた状態が固定されない。この様な２段折り込みと１０、１０の先端１５、１５がホルダーの内部に折り込まれシート４、４の間に挟まれてその位置が固定されることによって、始めてバッグの開口度が固定された構造となることが分かる。
【００２４】
更に紙の適度な弾性と可塑性を併せ有する性質が相まって、バッグの口を確実に且つ充分に開かせた状態で一層安定な状態で保持される。更にこの２段折込は９の部分を押し込む１動作でなされるため取扱も容易である。
【００２５】
従来の技術の欄で述べた様に、環状支持具の一端を折り込んでバッグを開口させる機構は知られていたが、２段に折り込むことによって開口度を大きくすると共に、その開口状態を固定して保持させる構造は今まで知られていない。
【００２６】
バッグの開口度を大きくすることは、コーヒー等をドリップ方式でいれる場合の抽出効果を高めると共に、調製されたコーヒー等の品質のばらつきを少なくし均一にするために大きな効果がある。この支持具の２段の折込構造が本発明の最も大きな特徴である。
【００２７】
前述の様に本発明の抽出用バッグは濾過性を有するシートであれば広く使用できるが、繊度０．２  デニール以下の超極細繊維を含む不織布は、抽出性が優れているためより好ましい。例えば、香りやコク味が優れたコーヒーを入れるためにフィルターに要求される最も重要な性質は、コーヒーの微粒子が液中に漏れ出さないこと及びコーヒー液中に含まれている油脂を吸着除去して、カップの表面に油膜が浮かない様にすることである。これらはいずれもコーヒーの味を著しく阻害する要素で、微粒子が混入すれば舌触りが悪く感じられ、またカップの表面に油脂が浮くとギラギラ光るため好まれないからである。
【００２８】
微粒子の漏出防止及び油脂の吸着性を高める素材として、繊度が  ０．２デニール以下の超極細繊維を含む不織布が特に優れている。従って、本発明のバッグの素材にはより好ましい。この様な超極細繊維は例えば、メルトブロー法により熱可塑性ポリマーから製造されている。熱可塑性ポリマーの種類としては、ポリプロピレン、ポリエチレン等がある。またこの様な超極細繊維の不織布層と、通常の太さの繊維からなる支持層の複合不織布を使用することにより、濾過性及び濾布の機械的性質を一層向上させることが出来る。
【００２９】
抽出用バッグを支持具に取り付ける手段は特に限定しないが、融着或いは貼着等が適用できるが、バッグが熱溶融性で支持具もポリマー樹脂でラミネートされている紙の場合は熱融着が好ましい。
【００３０】
【実施例】
以下実施例を挙げ図面を参照しながら更に本発明を具体的に説明する。
【００３１】
（実施例１）
図１に本発明の支持具付嗜好性飲料バッグの一態様の使用時の状態の斜視図を、図２は支持具の成形前の展開図を、図３に使用前の折り畳まれた状態の嗜好性飲料バッグの正面図を示す。
【００３２】
支持具付嗜好性飲料バッグは支持具３及び抽出用バッグ２からなり、支持具３の材質はポリエチレンでラミネートされた白板紙で、図２の展開図に示した様な形状の原料シートの上半分を折り返して下半分に重ね、ノリ代２１、２１′を熱融着して成形される。支持具の表面及び裏面４、４の内側１６、１６にバッグ２の前後の面が融着される。この様にしてつくられた嗜好性飲料バッグの使用前の折り畳まれた状態の正面図を図３に示す。
【００３３】
使用する時支持具両側上部の折目９の部分を下方に押し込むと、上端９、折目８、８、切り込み１０、１０及び縁１１、１１から構成されている２つの四辺形で、それぞれホルダーの表裏のシート４、４と連続している部分が、上端９を軸として蝶番状に折り返される。これに伴って、上端７、シートの折目６、６、８、８から構成れさている２つの三角形の部分も、上端７を軸として閉じていた蝶番が少し開いた形状となるため、９の部分と７の部分の２段の折り込みが形成される。
【００３４】
前述と同一な折り込み構造が支持具の左側対称の位置にも設けられているため、支持具の表面及び裏面の間隔が押し開けられ、同時に支持具４、４に融着されているバッグの口も開かれる。
【００３５】
この際折り込まれた１０、１０の部分は切り込まれているため、図に示す様に１０の先端１５、１５が支持具の内部に折り込まれシート４、４の間に挟まれて固定される構造になっている。尚、この際ホルダーの材質である白板紙の適度な可塑性及び弾性が、安定した開口構造を保持するために重要な作用をしていることは前述の通りである。
【００３６】
７の部分の１段の折り込みのみでは、図より分かる様にシート４、４の開いた間隔が変動し易く固定されない。この様な２段折り込みと１０、１０の先端１５、１５が支持具の内部に折り込まれて挟まれ、その位置が固定されることによって始めてバッグの開口度が固定される構造となることが分かる。
【００３７】
更に、支持具の下端１３、１３の左右対称の位置及び表裏のシートの同位置には、支持具をコーヒーカップ等の縁に置く時安定した状態に保持できる様に、抉った部分１４、１４、１４′、１４′が設けられている。また、抽出操作を容易にするために支持具の中程、左右両端に近い部分に把手用の切り込み１７、１７及び、１７′、１７′が設けられている。
【００３８】
抽出用バッグの材質は、直径  ０．１デニールのポリエチレン・メルトブロー繊維で作られた目付１０ｇ／ｍ２  、厚さ約  ０．１２  ｍｍの不織布と、繊度  １．５デニール、短繊維の長さ  ５０ｍｍ  のポリエステル繊維で作られた目付け１０ｇ／ｍ２  、厚さ０．０８ｍｍの不織布との２層の積層体よりなっている。またバッグの表面には多数の平行四辺形の繊維融着域が、所定間隔をおいて整然と配置されている。この不織布積層体では、極細繊維不織布は濾過層として機能し、太デニール繊維不織布は濾過層の支持体となっている。
【００３９】
バッグの形状は左右両側にギャザー１８、１８′を有し、下部は断面がＶ字形で、両側にギャザーを有すため、バッグが接続しているホルダーの開口機能と相まって、バッグの口を充分に大きく開けることができる。更に、下部の断面がＶ字形になっているため液切れがよく、抽出液をほぼ全量取り出すことができる効果がある。
【００４０】
前述の様にして得られた支持具付嗜好性飲料バッグに適当量の焙煎・粉砕したコーヒー粒子を入れ、お湯を注入すれば短時間で充分に内容物が抽出され、濃度が高いコーヒーが得られ、バッグの開口度が大きいので抽出性に優れ、また開口部分の構造が安定しているため、数個の飲料バッグを使用して得られたコーヒーの味及び濃度を比較したが、ばらつきが少なく品質が安定していることが分かった。
【００４１】
（実施例２）
図４に本発明の支持具付嗜好性飲料バッグの他の一態様の使用時の状態の斜視図を、図５に使用前の折り畳まれた状態の嗜好性飲料バッグの正面図を示す。
【００４２】
本態様の支持具付嗜好性飲料バッグは支持具３及び抽出用バッグ２からなり、支持具３の材質は実施例１と同じポリエチレンでラミネートされた白板紙を使用し、実施例１とほぼ同様な方法で成型され、ホルダーの表面及び裏面４、４の内側１６、１６にバッグ２の前後の面が融着されている。この様にしてつくられた嗜好性飲料バッグの使用前の折り畳まれた状態の正面図を図５に示す。
【００４３】
支持具両側上部が張り出し表裏のシートが接続されている上端部分は実施例１と異なり、折目によって７、９及び１２の３部分に分かれている。使用する時支持具両側上部の折目９の部分を下方に押し込むと、上端１２の部分はそのままの状態で保持されるが、上端９、折目８、８、切り込み１０、１０及び縁１１、１１から構成されている２つの四辺形で、それぞれ支持具の表裏のシート４、４と連続している部分が、上端９を軸として蝶番状に折り返される。
【００４４】
これに伴って、上端７、シートの折目６、６′、８、８′からなる２つの三角形の部分も、上端７を軸として蝶番が少し開いた形状となって２段に折り込まれて表裏のシート４、４の間隔が押し開けられ、抽出用バッグも開口される。この部分の機能は実施例１と同様であるが、ホルダーの上端で右側の縁５に隣接して表裏が接続している部分１２が設けられているため、開口部分の構造性が一層高められ、嗜好性飲料を抽出する操作の間バッグをより安定した形態に保持することができる。
【００４５】
尚、支持具の上端の窪んでいる中央部分２０は取扱を容易にするため波形になっている。また、支持具の上端には実施例１と同様に、支持具をコーヒーカップ等の縁に置く時安定した状態に保持できる様に、抉った部分１４、１４、１４′、１４′が設けられている。更に、支持具の中程右端に近い部分に把手用の切り込み１７、１７が設けられている。
【００４６】
抽出用バッグの材質はパルプとポリプロピレンステープルファイバーを混抄して得られた、濾過性に優れヒートシール性を有する紙であり、バッグの形状は紙を折り返してその両端をヒートシールしたものである。バッグの内部には予めコーヒーカップ一杯分の焙煎・粉砕したコーヒー粒子が封入され、バッグの上部は超音波シールされ、更に開口用のミシン目１９が施されている。使用時は支持具付抽出用バッグのミシン目を裂き、支持具をカップの縁にのせ、お湯を注入すれば直ちにコーヒーがいれられる様になっている。
【００４７】
前述の様にして得られた支持具付嗜好性飲料バッグにお湯を注入すれば短時間で充分に内容物が抽出され、濃度が高いコーヒーが得られる。バッグの開口度が大きいため実施例１のバッグと同様に抽出性に優れ、得られたコーヒーの味及び濃度のばらつきが少なく品質が安定していることか分かった。
【００４８】
（実施例３）
図６に本発明の支持具付嗜好性飲料バッグの一態様の使用時の状態の斜視図を、図７は支持具の成形前の展開図を、図８に使用前の折り畳まれた状態の嗜好性飲料バッグの正面図を示す。
【００４９】
支持具付嗜好性飲料バッグは支持具３及び抽出用バッグ２からなり、支持具３の材質は実施例１と同様なポリエチレンでラミネートされた白板紙で、図７の展開図に示した様な形状の原料シートを環状にしてノリ代２１、２１′を熱融着して成形される。ホルダーの表面及び裏面４、４の内側１６、１６にバッグ２の前後の面が融着される。この様にしてつくられた嗜好性飲料バッグの使用前の折り畳まれた状態の正面図を図３に示す。
【００５０】
支持具両側上部には実施例１の様な張り出して表裏のシートが接続されている部分がなく、支持具の表裏のシートの間隔を開くための折り目７、９、６、６、８、８、１０、１０、１１、１１は支持具の右側の折り目５の上部に設けられ、同様な折目が左側上部にも左右対称の位置に設けられている。
【００５１】
使用する時支持具両側上部の折目９の部分を内側に押し込むと、右側の縁９、折目８、８、切り込み１０、１０及び縁１１、１１から構成されている２つの四辺形で、それぞれ支持具の表裏のシート４、４と連続している部分が、縁９を軸として蝶番状に折り返される。これに伴って、右側の縁７、シートの折目６、６、８、８から構成れさている２つの三角形の部分も、縁７を軸として閉じていた蝶番が少し開いた形状となるため、９の部分と７の部分の２段の折り込みが形成される。前述と同一な折り込み構造が支持具の左側対称の位置にも設けられているため、支持具の表面及び裏面の間隔が押し開けられ、同時に支持具４、４に融着されているバッグの口も開かれる。
【００５２】
この際折り込まれた１０、１０の部分は切り込まれているため、図に示す様に１０、１０の先端１５、１５が支持具の内部に折り込まれ、シート４、４の間に挟まれて固定される構造になっている。尚、この際支持具の材質である白板紙の適度な可塑性及び弾性が、安定した開口構造を保持するために重要な作用をしていることは前述の通りである。
【００５３】
７の部分の１段の折り込みのみでは図より分かる様にシート４、４の開いた間隔が変動し易く固定されない。この様な２段折り込みと１０、１０の先端１５、１５が支持具の内部に折り込まれて挟まれ、その位置が固定されることによって始めてバッグの開口度が一定し、且つ固定された構造となることが分かる。
【００５４】
抽出用バッグの材質は繊度  ０．０５  デニールのポリプロピレン・メルトブロー繊維で作られた目付  ２０  ｇ／ｍ２  、厚さ約  ０．２３  ｍｍの不織布である。またバッグの表面には形態安定性を高めるため直線の幅１ｍｍ、間隔５ｍｍの直線からなる斜格子模様の繊維融着域が形成されている。
【００５５】
バッグの形状はシートを折り返して一方はヒートシールし、底部はＶ字形にシールされている。またシートの側面はホルダー４、４の内面１６、１６にヒートシールされている。
【００５６】
前述の様にして得られた支持具付嗜好性飲料バッグに適当量の紅茶の葉を入れ、お湯を注入すれば短時間で充分に内容物が抽出され、適度の濃度の紅茶が得られる。バッグの開口度が大きいため抽出性に優れまた開口部分の構造が安定しているため、数個の飲料バッグを使用して得られた紅茶の風味及び濃度を比較したが、ばらつきが少なく品質が安定していることが分かった。抽出時バッグの下端が逆円錐状となるため液切れも良好であった。
【００５７】
【発明の効果】
本発明の支持具付嗜好性飲料バッグは、ディスポーザブルでドリップタイプのコーヒー、紅茶等の抽出用バッグに紙製の支持具を取り付けたもので、バッグにお湯を注入する際支持具の端を２段に折り込むことによって、バッグの口を大きく一定の大きさに確実に開かせることができる。このため抽出効果を高めると共に、常に一定の濃度のコーヒー等が得られる特徴がある。
【図面の簡単な説明】
【図１】本発明の支持具付嗜好性飲料バッグの一態様の使用時の状態の斜視図を示す。
【図２】図１に示した支持具の成形前の原紙の展開図を示す。
【図３】図１に示した嗜好性飲料バッグの使用前の折り畳まれた状態の正面図を示す。
【図４】本発明の支持具付嗜好性飲料バッグの他の一態様の使用時の状態の斜視図を示す。
【図５】図４に示した嗜好性飲料バッグの使用前の折り畳まれた状態の正面図を示す。
【図６】本発明の支持具付嗜好性飲料バッグの他の一態様の使用時の状態の斜視図を示す。
【図７】図６に示した支持具の成形前の原紙の展開図を示す。
【図８】図６に示した嗜好性飲料バッグの使用前の折り畳まれた状態の正面図を示す。
【符号の説明】
１  支持具付嗜好性飲料バッグ
２  抽出用バッグ
３  支持具
４、４  支持具の表裏のシート
５、５′支持具の左右両側の折目
６、６  支持具の右側上部の折目
７      支持具の右側上部の折目
８、８  支持具の右側上部の折目
９      支持具の右側上部の折目
１０、１０  支持具の右側上部の切込
１１、１１  支持具の右側上部の縁
１２、１２  支持具の右側上部の折目
１３、１３  支持具の表裏の下端
１４、１４、１４′、１４′支持具下端左右表裏の抉り部分
１５、１５    支持具の右側上部の切り込んだ切片の先端
１６、１６  支持具とバッグの接着部分
１７、１７、１７′１７′把手
１８、１８′バッグ側面のギャザー
１９      バッグのミシン目
２０、２０  支持具上端中央部の波形
２１            支持具原紙のノリ代
【図１】
0003595050.tif 000002
【図２】
0003595050.tif 000003
【図３】
0003595050.tif 000004
【図４】
0003595050.tif 000005
【図５】
0003595050.tif 000006
【図６】
0003595050.tif 000007
【図７】
0003595050.tif 000008
【図８】
0003595050.tif 000009